(57)【要約】【課題】水切り材を簡単に施工することができる外壁パネルを提供する。【解決手段】サイディング材（２）と下地フレーム（３）の縦フレーム材（４）（４）との間にスペーサ（６）（６）を介在させて、これらサイディング材（２）と下地フレーム（３）とを一体に張り合わせることで、サイディング材（２）の下端部と下地フレーム（３）との間に、水切り材（１０）を下方から挿入可能とする間隙（９）を備えた外壁パネル（１）を構成する。【選択図】　図１
2004143663.tif 000002
【特許請求の範囲】
【請求項１】
外壁材とこれを張り付ける下地材との間にスペーサを設けて、外壁材の下端部と下地材との間に水切り材の一部を挿入する間隙を設けたことを特徴とする外壁構造。
【請求項２】
外壁材を下地材に一体に張り付けてなる外壁パネルにおいて、外壁材と下地材との間にスペーサを介在させて、外壁材の下端部と下地材との間に水切り材の一部を挿入する間隙を設けたことを特徴とする外壁パネル。
【請求項３】
下地材は、左右一対の縦フレーム材と、これら縦フレーム材の上下端部間を連結する上下一対の横フレーム材とを備え、外壁材と左右一対の縦フレーム材との間にスペーサを介在させている請求項２記載の外壁パネル。
【請求項４】
バルコニー床周りや天井床周りの立ち上り壁として用いるものである請求項２又は３記載の外壁パネル。
【発明の詳細な説明】
【０００１】
【発明の属する技術分野】
この発明は、水切り材の施工に適した外壁構造及び外壁パネルに関する。
【０００２】
【従来の技術】
従来、上下に隣接する外壁材間に取り付ける水切り材としては、例えば特開２００１−９０３１５公報に開示されているような略Ｚ字状に形成されたものがある。この種の水切り材は、その上端部が上側外壁材と下地材との間に介装され、下端部が上下の外壁材間の隙間から下側外壁材の外表面側に張り出して、上下の外壁材間の隙間を塞ぐようになっている。
【０００３】
【特許文献１】特開２００１−９０３１５公報
【０００４】
【発明が解決しようとする課題】
上記のような水切り材の施工に際しては、例えば現場において上側外壁材を下地材に張り付けるときに、これらによって水切り材の上端部を挟み込むようにするか、若しくは、工場等において上側外壁材を下地材に固定具を用いて張り付けておき、現場において固定具を緩めながら上側外壁材と下地材との間に水切り材の上端部を差し込んだ後に、再び固定具を締め付けるといった方法が採られている。
【０００５】
しかしながら、前者においては、現場での上側外壁材の張り付け作業を必要とし、また後者においては、一旦締め付けた固定具を現場で緩めて再度締め付けるといった作業を必要とすることから、いずれにしても水切り材の施工が煩雑で、手間がかかっていた。
【０００６】
そこで、この発明は、上記の不具合を解消して、水切り材の簡単な施工を可能にする外壁構造及び外壁パネルの提供を目的とする。
【０００７】
【課題を解決するための手段】
上記の課題を解決するため、この発明の外壁構造は、外壁材とこれを張り付ける下地材との間にスペーサを設けて、外壁材の下端部と下地材との間に水切り材の一部を挿入する間隙を設けたことを特徴とする。
【０００８】
また、この発明の外壁パネルは、外壁材を下地材に一体に張り付けてなり、外壁材と下地材との間にスペーサを介在させて、外壁材の下端部と下地材との間に水切り材の一部を挿入する間隙を設けたことを特徴とする。具体的に、下地材は、左右一対の縦フレーム材と、これら縦フレーム材の上下端部間を連結する上下一対の横フレーム材とを備え、外壁材と左右一対の縦フレーム材との間にスペーサを介在させている。この外壁パネルは、例えばバルコニー床周りや天井床周りの立ち上り壁として用いられる。
【０００９】
【発明の実施の形態】
以下、この発明の実施形態を図面に基づいて詳細に説明する。図１は、この発明の一実施形態に係る外壁パネル（１）を示しており、（２）は、外壁材としてのサイディング材、（３）は下地材としての下地フレームである。
【００１０】
サイディング材（２）は、例えば軽量コンクリート板或いはその他のコンクリート板などの無機質材によって方形に形成されている。下地フレーム（３）は、溝型鋼からなる左右一対の縦フレーム材（４）（４）と、同じく溝型鋼からなる上下一対の横フレーム（５）（５）とを、これら各フレーム材（３）（４）…の溝部が互いに向かい合うようにして、方形枠状に連結してなる。
【００１１】
また、一対の縦フレーム材（４）（４）には、図１及び図２に示すように、スペーサ（６）（６）が夫々取り付けられている。スペーサ（６）（６）は、例えば０．５〜１ｍｍ程度の一定の厚みを有する金属製又は合成樹脂製の方形板材からなり、縦フレーム（４）（４）のフランジ（７）（７）のほぼ同じ高さ位置に両面テープや接着剤によって取り付けられている。
【００１２】
そして、外壁パネル（１）は、サイディング材（２）よりも下地フレーム（３）が下方に突出するようにして、これらサイディング材（２）と下地フレーム（３）とを、スペーサ（６）（６）を介在させた状態で一体に張り合わせることによって構成され、これによってサイディング材（２）の下端部と下地フレーム（３）との間に、水切り材（１０）の一部を下方から差し入れることができる間隙（９）が形成されている。
【００１３】
水切り材（１０）は、図３に示すように、例えば略Ｌ形に形成された鋼板製の硬質片（１１）と、この硬質片（１１）における垂直部（１２）の背面側に接着剤等によって取り付けられたゴムシート製の軟質片（１３）とからなり、硬質片（１１）の垂直部（１２）が前記間隙（９）に挿入されるようになっている。なお、硬質片（１１）は、防火板としての機能を有している。
【００１４】
図４は、上記構成の外壁パネル（１）を、バルコニー床（２０）周りの立ち上がり壁（２１）として施工した一例を示している。外壁パネル（１）は、予め工場等において組み立てられて現場へ搬送される。現場では、図５に示すように、外壁パネル（１）の間隙（９）へ水切り材（１０）の硬質片（１１）を下方から挿入することによって、水切り材（１０）が外壁パネル（１）に装着され、さらに外壁パネル（１）におけるサイディング材（２）よりも下方に突出した下地フレーム（３）の下端部には、バルコニー床（２０）から立ち上がるようにして別のサイディング材（２２）が張り付けられる。そして、このサイディング材（２２）の外表面には、バルコニー床（２０）側から延びる防水シート（２３）が張り付けられて防水処理が施される。
【００１５】
サイディング材（２２）や防水シート（２３）の張り付け作業は、水切り材（１０）の軟質片（１３）をめくり上げた状態で行なわれ、作業終了後に、水切り材（１０）の軟質片（１３）をサイディング材（２２）の外表面側に垂らすようにしている。なお、サイディング材（２２）の外表面側には、防水シート（２３）及び水切り材（１０）の軟質片（１３）を押さ付けるようにして図示しないレールがビス止めされ、このレールにブラケットを介してカバーが装着されるようになっている。
【００１６】
この発明は、上記実施形態に限定されるものではなく、この発明の範囲内で上記実施形態に多くの修正及び変更を加え得ることは勿論である。例えば、上記実施形態の外壁パネルにおいては、一対の板状のスペーサを用いて間隙を設けるようにしていたが、１個若しくは３個以上のスペーサを使用しても良く、また下地材に沿った帯状のスペーサを使用しても良い。さらに、スペーサは、外壁材又は下地材に一体に形成されたものであっても良い。さらに、外壁パネルは、バルコニー床周りの立ち上がり壁として用いるだけでなく、水切り材を必要とするような箇所に適宜用いるようにしても良い。
【００１７】
【発明の効果】
以上の説明から明らかなように、この発明によると、外壁材と下地材との間にスペーサを介在させて、水切り材挿入用の間隙を設けるようにしているので、工場等において事前に外壁材と下地材を張り合わせておいても、現場にて水切り材を簡単に施工することができ、従来のような現場での外壁材の張り付け作業や、固定具を緩めたり締め付けたりする作業を廃止して、施工性の向上を図ることができる。
【図面の簡単な説明】
【図１】この発明の一実施形態に係る外壁パネルの斜視図である。
【図２】同じくその下地フレームの斜視図である。
【図３】水切り材の斜視図である。
【図４】外壁パネルの施工例を示す斜視図である。
【図５】水切り材の挿入作業を示す図である。
【符号の説明】
（１）　外壁パネル
（２）　外壁材
（３）　下地材
（４）　縦フレーム材
（５）　横フレーム材
（６）　スペーサ
（９）　間隙
（１０）　水切り材
（２０）　バルコニー床
（２１）　立ち上り壁
【図１】
2004143663.tif 000003
【図２】
2004143663.tif 000004
【図３】
2004143663.tif 000005
【図４】
2004143663.tif 000006
【図５】
2004143663.tif 000007